(57)【特許請求の範囲】
【請求項１】
縦壁面に装着されるベースに、座部材をほゞ水平の使用姿勢と縦壁面側への折り畳み姿勢とに切り換え可能に枢着してなるスツールであって、座部材の左右両側に備えたアーム部材に対して、座部材の前部側を支持するための支持脚体を、座部材の支持姿勢とアーム部材側への収納姿勢とに切り換え可能に枢支連結し、かつ、アーム部材側への収納姿勢において、この脚体を座部材の前面部とほゞ面一または凹入するように構成する一方、座部材の使用姿勢への切り換えに連動して脚体を支持姿勢に且つ座部材の折り畳み姿勢への切り換えに連動して脚体を収納姿勢に切り換える連動機構と、折り畳み姿勢にある座部材の姿勢保持手段とを備えたスツールであって、連動機構を構成するに、一端側に脚体を枢着するためのスライド部材を、アーム部材の長手方向に沿って移動可能に設けると共に、座部材を吊り下げ保持するための第１リンクを、スライド部材の他端側とベースとにわたって枢支連結し、かつ、脚体を垂直の垂下姿勢に規制する第２リンクを、脚体とスライド部材の中間部とにわたって枢支連結し、更に、座部材を使用姿勢に切り換えた状態で、スライド部材の縦壁面側への移動を規制する移動規制部材をアーム部材に備えてなることを特徴とするスツール。
【請求項２】
縦壁面に装着されるベースに、座部材をほゞ水平の使用姿勢と縦壁面側への折り畳み姿勢とに切り換え可能に枢着してなるスツールであって、座部材の左右両側に備えたアーム部材に対して、座部材の前部側を支持するための支持脚体を、座部材の支持姿勢とアーム部材側への収納姿勢とに切り換え可能に枢支連結し、かつ、アーム部材側への収納姿勢において、この脚体を座部材の前面部とほゞ面一または凹入するように構成する一方、座部材の使用姿勢への切り換えに連動して脚体を支持姿勢に且つ座部材の折り畳み姿勢への切り換えに連動して脚体を収納姿勢に切り換える連動機構と、折り畳み姿勢にある座部材の姿勢保持手段とを備えたスツールであって、連動機構を構成するに、ベースの上部側と支持脚体の上下の中間部位に第１及び第２のアームを枢着すると共に、アーム部材に対してベースと支持脚体との枢支軸芯間の中央位置にアームを揺動可能に枢着し、この揺動アームの枢着軸芯を中心にして振り分け位置に第１及び第２のアームを枢着すると共に、第１及び第２アームのそれぞれの枢着軸芯間の寸法と、揺動アームの枢着軸芯に対する第１及び第２アームの枢着軸芯間の寸法とを、それぞれの軸芯を水平方向に向けてほゞ一致させてなることを特徴とするスツール。
【請求項３】
座部材に折り畳み方向への付勢力を付与させるための付勢手段を備えてなる請求項１又は２に記載されたスツール。
【請求項４】
座部材の姿勢切り換えの途中の範囲において、この座部材を回動させるモーメントを大きくするための付勢力の付与手段を備えてなる請求項１〜３のいずれかに記載されたスツール。
【請求項５】
付勢力の付与手段が、座部材の姿勢切り換え完了の際に、この座部材に振動を与える振動付与手段を備え、かつ、この振動付与手段が座部材の折り畳み姿勢を保持する姿勢保持手段を構成してなる請求項４に記載されたスツール。
【発明の詳細な説明】
【０００１】
【発明の属する技術分野】
本発明は、座部材を縦壁面側に折り畳み可能に構成したスツールに関し、具体的には、縦壁面に装着されるベースに、座部材をほゞ水平の使用姿勢と縦壁面側への折り畳み姿勢とに切り換え可能に枢着してなるスツールに関する。
【０００２】
【従来の技術】
例えばマンションなどの集合住宅の玄関では、床レベルよりも僅かに高い状態で、玄関の踏み込み部分と廊下とが框材で仕切られているのが一般的である。
【０００３】
このため、特にお年寄りや肢体の不自由な方では、立ったままでの履物の脱ぎ履きなどの動作が困難であることから、玄関先にスツールを用意して、これに腰を掛けるようにしているが、不使用時には、スツールが人の出入りや物の出し入れ等の邪魔になる点で問題があった。
【０００４】
この問題を解決するために、座板を壁面側に折り畳み可能に構成したスツールが提案されるに至っている（例えば特開２０００−６０６７４号）。
【０００５】
このスツールは、図１９（Ａ），（Ｂ）に示すように、平行な一対の縦柱部５１，５１を有する枠体５２と、一対の縦柱部５１，５１間に一端側を枢支連結し、上下方向に回動自在とした座板５３と、座板５３の裏面側且つ回動自由端側に上端部分を枢支連結した一対の脚部材５４，５４と、一端側を枠体５２側に枢支連結し、他端側を一対の脚部材５４，５４に枢支連結し、座板５３と常時平行を維持する一対の横桟部材５５とからなり、不使用時には、座板５３を壁面側に折り畳むことができるように構成されている。
【０００６】
このように構成されたスツールによれば、不使用時には、座板５３を折り畳み姿勢にしておくことで、スツールが例えば人の出入り等にとって余り邪魔にはならず、必要に応じて座板５３を使用姿勢に切り換えることで、スツールを例えば玄関先に備えた場合は、履物の脱ぎ履きを安全かつ楽に行うことができるのであり、その他、病院のベッド際の縦壁面に備えた場合は、お見舞いの方に腰を掛けてもらうことができ、また、電話の設置場所に備えておけば、楽な姿勢で対話をすることができる。
【０００７】
【発明が解決しようとする課題】
しかしながら、かゝる構成のスツールでは、座板５３を壁面側に折り畳んだ状態で、この座板５３に脚部材５４，５４を重ね合わせる構成をとっていることから、座板５３を壁面側に折り畳んだ際のスツールの奥行き寸法が大きくなり、このため、スツールを例えばリフォームなどで壁面に後付けした際には、不使用時におけるスツールの壁面からの出っ張り寸法が大きくなって、邪魔になるだけでなく、見栄えも悪くなる点で問題があった。
【０００８】
一方、新築の際にスツールを壁面内に納める所謂ビルトインタイプに構成する場合は、上記の不都合が解消されるものの、壁面にスツール埋め込みの深い凹部を形成する必要があって、その分の補強工事が余儀なくされるのであった。
【０００９】
本発明は、かゝる実情に鑑みてなされたものであって、合理的な改良技術によって、折り畳み姿勢におけるスツールの奥行き寸法を小さくし、上記の不都合を一挙に解消することを目的としている。
【００１０】
【課題を解決するための手段】
上記の目的を達成するために、本発明は、座部材を使用姿勢と折り畳み姿勢とに切り換え可能に備えてなるスツールにおいて、座部材の左右両側に備えたアーム部材に対して、座部材の前部側を支持するための支持脚体を、座部材の支持姿勢とアーム部材側への収納姿勢とに切り換え可能に枢支連結し、かつ、アーム部材への収納姿勢において、この脚体を座部材の前面部とほゞ面一または凹入するように構成する一方、座部材の使用姿勢への切り換えに連動して脚体を支持姿勢に且つ座部材の折り畳み姿勢への切り換えに連動して脚体を収納姿勢に切り換える連動機構と、折り畳み姿勢にある座部材の姿勢保持手段とを備えてなる点に特徴がある（請求項１）。
【００１１】
上記の特徴的な構成によれば、座部材を使用姿勢と折り畳み姿勢とに切り換えるワンタッチの操作で、脚体が支持姿勢と収納姿勢とに切り換えられるのであり、かつ、折り畳み姿勢に切り換えられた座部材は、その折り畳み姿勢が姿勢保持手段によって保持されることになる。
【００１２】
そして、脚体が収納姿勢に切り換えられた状態では、この脚体が座部材の前面部とほゞ面一または凹入することから、図１９（Ａ），（Ｂ）に示した従来に提案のスツールに比較して、折り畳み姿勢にあるスツールの厚み寸法が極端に薄くなるのであって、例えばスツールをリフォームなどで縦壁面に後付けした際であっても、不使用時におけるスツールの壁面からの出っ張り寸法が小さくなることから、スツールが人の出入り等にとって何ら邪魔にはならず、かつ、見栄えも良くなるのであり、或いは、スツールを所謂ビルトインタイプに構成する場合であっても、これの設置のために、壁面に深い凹部を形成する必要がなくなるのである。
【００１３】
上記の連動機構の一例として、一端側に脚体を枢着するためのスライド部材を、アーム部材の長手方向に沿って移動可能に設けると共に、座部材を吊り下げ保持するための第１リンクを、スライド部材の他端側とベースとにわたって枢支連結し、かつ、脚体を垂直の垂下姿勢に規制する第２リンクを、脚体とスライド部材の中間部とにわたって枢支連結し、更に、座部材を使用姿勢に切り換えた状態で、スライド部材の縦壁面側への移動を規制する移動規制部材をアーム部材に備えることで構成される（請求項１）。
【００１４】
上記の構成によれば、スライド部材の他端側とベースとにわたって、座部材を吊り下げ保持するための第１リンクを枢支連結していることから、座部材を使用姿勢に切り換えると、これに伴って、スライド部材が引っ張られるようにして縦壁面側へとスライドする。
【００１５】
そして、脚体とアーム部材とにわたって第２リンクを枢支連結していることから、スライド部材の縦壁面側へのスライドに伴って、このスライド部材の一端側に枢着されている脚体は、垂直の垂下姿勢を維持したままで、座部材の左右両側のアーム部材から抜け出し、その下端が床面などに着地して、座部材の前部側を支持するのであり、更に、座部材が使用姿勢に切り換わった状態では、スライド部材の縦壁面側への移動が規制されることで、座部材は、その後部側が第１リンクによって吊り下げ保持されることとなる。
【００１６】
即ち、使用姿勢に切り換えられた座部材は、その後端部がベースによって枢着保持されることに加えて、その後部側が第１リンクによって吊り下げ保持され、更に、前部側が脚体によって支持されるのであって、かゝる構成のスツールによれば、その使用姿勢が鉛直の荷重に対して強固な構造体によって維持されることになる。
【００１７】
一方、座部材を折り畳み姿勢に切り換えると、今度は、スライド部材が逆方向にスライドするのであって、これによって脚体は、垂直の垂下姿勢を維持して、座部材の左右両側のアーム部材側に移行し、最終的には、脚体が座部材の前面部とほゞ面一になり、かつ、この座部材の折り畳み姿勢が姿勢保持手段によって保持されることになる。
【００１８】
別の観点から、上記の連動機構として、ベースの上部側と支持脚体の上下の中間部位に第１及び第２のアームを枢着すると共に、アーム部材に対してベースと支持脚体との枢支軸芯間の中央位置にアームを揺動可能に枢着し、この揺動アームの枢着軸芯を中心にして振り分け位置に第１及び第２のアームを枢着すると共に、第１及び第２アームのそれぞれの枢着軸芯間の寸法と、揺動アームの枢着軸芯に対する第１及び第２アームの枢着軸芯間の寸法とを、それぞれの軸芯を水平方向に向けてほゞ一致させることによっても構成される（請求項２）。
【００１９】
上記の構成からなる連動機構においては、アーム部材に枢着の揺動アームに、それぞれの枢着軸芯間の寸法をほゞ同じにして第１及び第２アームを枢着したことから、座部材を折り畳み姿勢に切り換えた状態では、揺動アームに対して第１及び第２のアームが互いに重なり合って、アーム部材側に収納されることになる。
【００２０】
そして、第１アームがベースに固定的に枢着されて、この第１アームに揺動アームの一端側が枢着され、更に、この揺動アームの他端側に第２アームが枢着されて、この第２アームが支持脚体に枢着されているので、座部材を使用姿勢に切り換えると、これに伴って揺動アームが座部材と同方向に揺動すると共に、この揺動に伴って第２アームが支持脚体を外方に押し出すように機能することから、かつ、この間に座部材の揺動を伴うことで、支持脚体は、垂直の垂下姿勢を維持したままで、その下端が床面などに着地するようになる。
【００２１】
即ち、使用姿勢に切り換えられた座部材は、その後端部がベースによって枢着保持される一方、前部側が常に鉛直な姿勢を保持する脚体によって支持されるのであって、かゝる構成のスツールによっても、その使用姿勢が鉛直の荷重に対して強固な構造体によって維持されることに変わりないのである。
【００２２】
ところで、座部材は、これが使用姿勢に近づけば近づくほどに回倒モーメントが大きくなることから、不用意に座部材を引き出すと、座部材が一気に使用姿勢に切り換わるようになり、このことは逆に、非力な人の場合は、座部材を折り畳み姿勢に切り換えることが困難になることに繋がることであって、この不都合を解消する上で、座部材に折り畳み方向への付勢力を付与させる付勢手段を備えることことが望ましい（請求項３）。
【００２３】
また、座部材の姿勢切り換えの途中の範囲において、この座部材を回動させるモーメントを大きくするための付勢力の付与手段を備えることも、座部材の使用姿勢への一気の切り換わりを抑止させる上で好ましい（請求項４）。
【００２４】
座部材の姿勢切り換えが完了したことを、切り換え操作する人に実感させたいならば、座部材の姿勢切り換え完了の際に、この座部材に振動を与える振動付与手段を、上記の付勢力の付与手段に備えさせればよく、この際、座部材の折り畳み姿勢を保持させる姿勢保持手段を、この振動付与手段によって構成することが可能である（請求項５）。
【００２５】
【発明の実施の形態】
以下、本発明の実施の形態を図面に基づいて説明する。図１は例えば玄関先の縦壁部に後付けで備えたスツールを示しており、この図１では、スツールの座部材１を縦壁面Ｓ側
に折り畳んだ姿勢Ａを示している。そして、図２はスツールの座部材１をほゞ水平の使用姿勢Ｂに切り換えた状態を示している。
【００２６】
これらの図において、図中の２は、縦壁面Ｓに装着される例えば鋼板製のベースで、図３，４及び図６に示すように、座部材１の厚み寸法程度の側板３，３と、この側板３，３間に納まる高さ寸法程度の一対二組のブラケット４，４とを備えており、更に、側板３，３の内方の下部側に、この側板３，３に相対峙させて、第２のブラケット５，５が設けられている。
【００２７】
６，６は座部材１の左右両側に備えたアーム部材で、図３〜図８に示すように、例えば鋼板の左右両側を下部側開放の状態でコの字状に折り曲げて、座面板７の両側にアーム部材６，６を形成しており、更に、アーム部材６，６の先端部にわたって縁部材８を備えて、これらの部材６，６，８によって囲まれた座面板７の上部に、例えば合成樹脂製のシート部材９を配置して、座部材１を構成しているのである。
【００２８】
この座部材１に備えた左右一対のアーム部材６の後端部を、ベース２の側板３とこれに相対峙する第２のブラケット５間に挿入し、これら三者６，３，５にわたって、軸芯を左右の水平方向に向ける状態で支軸１０を挿通して、ベース２に対して座部材１を、ほゞ水平の使用姿勢Ｂと縦壁面Ｓ側への折り畳み姿勢Ａとに切り換え可能に枢着している。
【００２９】
図３〜図６において、図中の１１は、座部材１に折り畳み方向への付勢力を付与させるための付勢手段で、上記の支軸１０にコイルスプリング１２を保持させて、このスプリング１２の一端側を折り曲げて、これをベース２に当接させる一方、スプリング１２の他端側を屈曲させて、この屈曲部ａをアーム部材６に備えた受け座１３に係止保持させてなる。
【００３０】
図３〜図８において、図中の１４，１４及び１５，１５は断面形状がコの字状のガイド部材であって、コの字状の開口部を相対峙させる状態で、アーム部材６，６の上面板６ａの下面部に固着（例えばビス止めや溶接などによるが、その固着の手段は省略している。）されており、それぞれアーム部材６，６の長手方向に沿うガイド溝ｂが縦面部に形成されている。
【００３１】
１６はスライド部材で、それぞれのガイド部材１４，１４、１５，１５のガイド溝ｂ，ｂにわたる支軸１７，１８を備えて、アーム部材６の長手方向に沿って移動可能な状態で、ガイド部材１４，１４、１５，１５ひいてはアーム部材６，６に保持されている。
【００３２】
１９は座部材１の前部側を支持するための支持脚体であって、アーム部材６，６の側面板６ｂ，６ｂとガイド部材１４，１４、１５，１５との間に入り込む側面板１９ａ，１９ａを備えており、この側面板１９ａ，１９ａ間の面板１９ｂの上部側を切り欠いて、この切り欠き両側の側面板１９ａ，１９ａを、前部側ガイド部材１４，１４のガイド溝ｂ，ｂにわたる支軸１７、即ち、スライド部材１６の一端側に備えた支軸１７の両側に枢支保持させて、この脚体１９をアーム部材６の幅内に納まり得るように構成している。
【００３３】
２０は座部材１を吊り下げ保持するための第１リンクで、後部側ガイド部材１５，１５のガイド溝ｂ，ｂにわたる支軸１８、即ち、スライド部材１６の他端側に備えた支軸１８と、ベース２のブラケット４，４に備えた支軸２１とにわたって枢支連結されている。
【００３４】
２２は脚体１９を垂直の垂下姿勢に規制する第２リンクで、脚体１９の面板１９ｂの内面部にブラケット２３を設けて、このブラケット２３に備えた支軸２４と、後部側ガイド部材１５，１５の前端部にわたって備えた支軸２５とにわたって枢支連結されている。
【００３５】
上記の支軸２５は、座部材１を使用姿勢Ｂに切り換えた状態で、スライド部材１６に形成した長孔２６の端部に当接する位置に設けられていて、スライド部材１６の縦壁面Ｓ側への移動を規制する移動規制部材を兼ねている。
【００３６】
この移動規制部材を兼用する支軸２５は、脚体１９の外側への拡がりを防止して、座部材１の使用姿勢Ｂを確定させるためのものであって、図４に仮想線で示すように、別の部材による移動規制部材２５ａを、スライド部材１６の縦壁面Ｓ側の端部に当接する位置に設けてもよいのである。
【００３７】
図１及び図２に戻って、図中の２７は脚体１９，１９の下端部にわたる連結部材、２８は座部材１に備えた縁部材８に形成の把手で、座部材１の姿勢切り換えの際に用いられる。
【００３８】
尚、図２〜図４に示すように、アーム部材６，６の上面板６ａには、座部材１を折り畳み姿勢Ａに切り換えた状態で、ベース２側のブラケット４と第１リンク２０とをアーム部材６の内部に納めるためのＴ字状の開口部２９が形成されている。
【００３９】
次に、図３〜図８において、図中の３０，３１は、座部材１の姿勢切り換えの途中の範囲において、この座部材１を回動させるモーメントを大きくするための付勢力の付与手段で、ガイド部材１４，１４、１５，１５に形成のガイド溝ｂ，ｂを支軸１７，１８が移行する間に、この支軸１７，１８にスライド抵抗を付与させることで構成されている。
【００４０】
具体的には、ガイド溝ｂ，ｂの長さ範囲にわたる板ばね部材３２を折り曲げ加工して、ガイド部材１４，１４、１５，１５の上面板ｄに対する固着用の面部ｅと、この固着用面部ｅの一方から斜めに垂下して持ち上がる山形面部ｆと、固着用面部ｅの他方から斜めに垂下する斜面部ｈと、この斜面部ｈに連なる支軸の係合凹部ｉとを形成し、このうちの山形面部ｆと斜面部ｈおよび凹部ｉをガイド溝ｂ，ｂに入り込ませる状態で、固着用の面部ｅを上面板ｄに固着（例えばビス止めや溶接などによるが、その固着の手段は省略している。）している。
【００４１】
この板ばね部材３２の固着に際して、図４に示すように、座部材１を使用姿勢Ｂに切り換えた状態で、支軸１７に凹部ｉが弾性的に係合するように、かつ、図５に示すように、座部材１を折り畳み姿勢Ａに切り換えた状態で、支軸１８が凹部ｉに弾性的係合するように、板ばね部材３２の取り付けの方向性を定めているのである。
【００４２】
上記の構成からなるスツールによれば、図５に示すように、座部材１が折り畳み姿勢Ａにある状態では、支軸１８に凹部ｉが弾性的に係合していることから、座部材１のガタツキを防止した状態で、この座部材１の折り畳み姿勢Ａが弾性的にロックされるのであって、この支軸１８と凹部ｉとによって、折り畳み姿勢Ａにある座部材１の姿勢保持手段３３Ａが構成されることになる。
【００４３】
折り畳み姿勢Ａにある座部材１を使用姿勢Ｂに切り換えるには、この座部材１の把手２８に指を差し込んで、図９に示すように、座部材１を手前に引き出すのであり、この際、姿勢切り換えの初期に支軸１８が凹部ｉから抜け出すことで、座部材１を引き出す動作が一瞬軽くなるのであって、その際の感覚が手に伝わることで、姿勢保持手段３３Ａによる弾性的なロックが解除されたことを感覚的に知ることができる。
【００４４】
これに続いての使用姿勢Ｂへの切り換え操作では、スライド部材１６の他端側とベース２とにわたって、座部材１を吊り下げ保持するための第１リンク２０を枢支連結している
ことから、座部材１の使用姿勢Ｂへの切り換えに伴って、スライド部材１６は引っ張られるようにして縦壁面Ｓ側へとスライドする。
【００４５】
そして、脚体１９とアーム部材６とにわたって第２リンク２２を枢支連結していることから、スライド部材１６の縦壁面Ｓ側へのスライドに伴って、このスライド部材１６の一端側に枢着されている脚体１９は、垂直の垂下姿勢を維持したままで、座部材１の左右両側のアーム部材６から抜け出し、座部材１が使用姿勢Ｂに切り換えられた時点で、脚体１９の下端が床面などに着地して、座部材１の前部側を支持するようになる。
【００４６】
座部材１が使用姿勢Ｂに切り換わった状態では、図４に示すように、スライド部材１６の縦壁面Ｓ側への移動が、支軸２５または移動規制部材２５ａによって規制されて、脚体１９の外側への拡がりが防止されることで、座部材１は、その使用姿勢Ｂが確定されるのであり、かつ、座部材１は、その後端部がベース２に枢着された状態で、後部側が第１リンク２０によって吊り下げ保持されることとなる。
【００４７】
即ち、使用姿勢Ｂに切り換えられた座部材１は、その後端部がベース２によって枢着保持されることに加えて、その後部側が第１リンク２０によって吊り下げ保持されるのであり、更に、前部側が脚体１９によって支持されるのであって、かゝる構成のスツールによれば、その使用姿勢Ｂが鉛直の荷重に対して強固な構造体によって維持されることになる。
【００４８】
この座部材１の使用姿勢Ｂへの切り換えの途中の範囲では、スライド部材１６のスライドに伴って、脚体１９側の支軸１７と第１リンク２０側の支軸１８とが山形面部ｆ，ｆを通過することで、支軸１７，１８にはスライド抵抗がかゝり、この間、座部材１を回動させるモーメントが大きくなり、続いて座部材１が使用姿勢Ｂに切り換わる直前の時点で、脚体１９側の支軸１７が斜面部ｈに差しかかり、座部材１が使用姿勢Ｂに切り換えられた時点で、凹部ｉが弾みをもって支軸１７に係合することになる。
【００４９】
一方、上記の構成によるスツールには、座部材１に折り畳み方向への付勢力を付与させるための付勢手段１１を備えていることから、座部材１を使用姿勢Ｂに切り換えれば切り換えるほどに、座部材１には、折り畳み方向への持ち上げ付勢力が順次大きくなって付与されることになる。
【００５０】
ここで、上記の付勢力の付与手段３０，３１と付勢手段１１とを備えていない場合は、折り畳み姿勢Ａにある座部材１を使用姿勢Ｂに切り換えると、その切り換え初期の段階では、座部材１が立ち姿勢の状態に近いことから、自重を基にしての座部材１自体の回倒方向のモーメントは小さいのであるが、回倒角度が大きくなるほどに、回倒モーメントが大きくなることから、不用意に座部材１を引き出すと、座部材１が一気に使用姿勢Ｂに切り換わることとなる。
【００５１】
このことから、座部材１自体の回倒方向のモーメントを小さくさせるように、付勢力の付与手段３０，３１と付勢手段１１を備えて、座部材１の一気の使用姿勢Ｂへの切り換わりを防止させるようにしているのである。
【００５２】
戻って、座部材１が使用姿勢Ｂに切り換わった際には、これと同時に凹部ｉが脚体１９側の支軸１７に弾みを持って係合することから、座部材１はガタツキが防止された状態で、その使用姿勢Ｂが弾性的にロックされるのであって、この支軸１７と凹部ｉとによって、使用姿勢Ｂにある座部材１の姿勢保持手段３３Ｂが構成されることになる。
【００５３】
これに加えて、凹部ｉが弾みをもって支軸１７に係合することで、座部材１には振動が
付与されるのであって、その際の振動が手に伝わることで、使用姿勢Ｂに切り換えられた座部材１が、姿勢保持手段３３Ｂによって弾性的にロックされたことを感覚的に知ることができる。
【００５４】
この振動による感覚的なロックの検知は、座部材１を折り畳み姿勢Ａに切り換えた際の、支軸１８への凹部ｉの弾性的な係合によっても同様に現出されることであって、付勢力の付与手段３０，３１の凹部ｉと支軸１７，１８とが、座部材１の姿勢保持手段３３Ａ，３３Ｂを構成すると同時に、これらは座部材１の姿勢切り換え完了の際に、この座部材１に振動を与える振動付与手段３４Ａ，３４Ｂをも構成するのである。
【００５５】
次に、使用姿勢Ｂにある座部材１を折り畳み姿勢Ａに切り換えるには、把手２８または座部材１の前縁部に手を掛けて、座部材１を持ち上げるのであり、すると今度は、スライド部材１６が逆方向にスライドするのであって、このスライドに伴って支軸１７が凹部ｉから抜け出すことで、座部材１の持ち上げ動作が一瞬軽くなるのであり、これによって姿勢保持手段３３Ｂによる弾性的なロックが解除されたことを感覚的に知ることができる。
【００５６】
そして、続いての座部材１の持ち上げに伴って、脚体１９は垂直の垂下姿勢を維持したままで、座部材１の左右両側のアーム部材６側に移行するのであって、最終的には、脚体１９が座部材１の前面部とほゞ面一になるように、脚体１９がアーム部材６，６に納まることで、座部材１の折り畳み姿勢Ａへの切り換えを完了するのである。
【００５７】
この座部材１の折り畳み姿勢Ａは、姿勢保持手段３３Ａによって保持されるのであり、この際、凹部ｉが弾みをもって支軸１８に係合することで、姿勢保持手段３３Ａによる座部材１の弾性的なロックを感覚的に知ることができる。
【００５８】
この間、支軸１７，１８は、付勢力の付与手段３０，３１によるスライド抵抗を受けるものの、座部材１には、付勢手段１１による折り畳み方向への付勢力が付与されることから、軽い力で座部材１を折り畳み姿勢Ａに切り換えることができるのである。
【００５９】
ここで、スライド部材１６と第１及び第２のリンク２０，２２と移動規制部材２５（または２５ａ）とによって、座部材１の使用姿勢Ｂへの切り換えに連動して脚体１９を支持姿勢Ｃに且つ座部材１の折り畳み姿勢Ａへの切り換えに連動して脚体１９を収納姿勢Ｄに切り換える連動機構を構成しているのであり、この際、脚体１９のアーム部材６への収納姿勢Ｄにおいて、脚体１９が座部材１の前面部とほゞ面一になるように構成しているが、脚体１９の収納姿勢Ｄで、脚体１９を座部材１の前面部よりも凹入させるように構成してもよいのである。
【００６０】
尚、上記の実施の形態では、座部材１の前部側の支持脚体１９をアーム部材６の幅内に納めるように構成しているが、図１０（ガイド部材１４，１４、１５，１５やスライド部材１６などの図示を省略している。）に示すように、脚体１９を収納姿勢Ｄに切り換えた状態で、この脚体１９の外側の側面板１９ａを、アーム部材６の外側の側面板６ｂに相対峙させるように構成してもよく、この場合、座部材１の折り畳み姿勢Ａにおいて、アーム部材６の外側の側面板６ｂのエッジｃが脚体１９によって覆われる利点がある。
【００６１】
次に、別の実施の形態によるスツールを、図１１〜図１７に基づいて説明する。図１１は例えば玄関先の縦壁部に後付けで備えたスツールを示しており、この図１では、スツールの座部材１を縦壁面Ｓ側に折り畳んだ姿勢Ａを示している。そして、図１２はスツールの座部材１をほゞ水平の使用姿勢Ｂに切り換えた状態を示している。
【００６２】
図１２において、図中の２は、縦壁面Ｓに装着されるベースであって、このベース２は
、左右一対の例えば鋼板製のベース部材４１，４１にわたって背凭れ部材４２を連結してなり、ベース部材４１と背凭れ部材４２との連結部には、縦壁面Ｓに対するスツール止着用のネジ孔ｊが形成されている。
【００６３】
ベース部材４１には、図１４及び図１６に示すように、その下部側に左右で一対のブラケット４３，４３が、かつ、上部側には１個のブラケット４４が、それぞれ縦壁面Ｓに対して鉛直になるように折り曲げ連設されている。
【００６４】
図１２に戻って、図中の６，６は座部材１の左右両側に備えたアーム部材で、図１４及び図１６にも示すように、例えば鋼板の左右両側を下部側開放の状態でコの字状に折り曲げて、座面板７の両側にアーム部材６，６を形成しており、そして、アーム部材６，６の先端部にわたって縁部材８を備えて、これらの部材６，６，８によって囲まれた座面板７の上部に、例えば合成樹脂製のシート部材９を配置して、座部材１を構成しているのである。
【００６５】
この座部材１に備えた左右一対のアーム部材６の後端部を、アーム部材６の下部側のブラケット４３，４３間に挿入し、これら三者４３，６，４３にわたって、軸芯を左右の水平方向に向ける状態で支軸４５を挿通して、ベース２に対して座部材１を、ほゞ水平の使用姿勢Ｂと縦壁面Ｓ側への折り畳み姿勢Ａとに切り換え可能に構成しているのである。
【００６６】
次に、図中の１９，１９は、座部材１の前部側を支持するための支持脚体であって、図１３〜図１６にも示すように、アーム部材６，６の側面板６ｂ，６ｂに相対峙する側面板１９ａ，１９ａを備えており、この側面板１９ａ，１９ａ間の面板１９ｂの上部側を切り欠いて、この切り欠き両側の側面板１９ａ，１９ａを、アーム部材６，６の先端側の側面板６ｂ，６ｂに当て付け、具体的には、脚体１９の外側の側面板１９ａを、アーム部材６の外側の側面板６ｂに相対峙させるように当て付け、かつ、これらにわたって軸芯を左右の水平方向に向ける状態で支軸４６を挿通して、脚体１９をアーム部材６側に折り畳み可能に構成しているのである。
【００６７】
２７は脚体１９，１９の下端部にわたる連結部材、２８は座部材１に備えた縁部材８に形成の把手で、座部材１の姿勢切り換えの際に用いられる。４７はゴム製の接地部材である。
【００６８】
これまでの構成は、図１〜図９に示したスツールの構成と何ら変わりはないのであり、この別の実施の形態では、座部材１の使用姿勢（図１２を参照）Ｂへの切り換えに連動して脚体１９を支持姿勢Ｃに且つ座部材１の折り畳み姿勢（図１１を参照）Ａへの切り換えに連動して脚体１９を収納姿勢Ｄに切り換える連動機構を次のように構成している。
【００６９】
即ち、連動機構を示す図１３〜図１７において、図中の４８はベース部材４１の上部側のブラケット４４に支軸４９を介して枢着された第１アーム、５０は脚体１９の上下の中間部位に設けられた軸支部材で、この軸支部材５０に備えた支軸５１に第２アーム５２が枢着されている。
【００７０】
５３はアーム部材６に枢着された揺動アームで、具体的には、ベース部材４１に対するアーム部材６の枢着用の支軸４５と、アーム部材６に対する脚体１９の枢着用の支軸４６の、それぞれの枢支軸芯Ｐ１，Ｐ２間の中央位置に、支軸５４を介して枢着されている。
【００７１】
そして、この揺動アーム５３に対して、これの枢着軸芯Ｐを中心にして振り分け位置に、それぞれ支軸５５，５６を介して上記の第１及び第２のアーム４８，５２を枢着しており、この際、揺動アーム５３の一端側をアーム部材６の上方に突出させるために、アーム
部材６の上面板６ａに開口部５８を形成している。
【００７２】
ここで、第１アーム４８の枢着軸芯Ｐ３，Ｐ５間の寸法と、第２アーム５２の枢着軸芯Ｐ４，Ｐ６間の寸法と、揺動アーム５３の枢着軸芯Ｐに対する第１及び第２アーム４８，５２の枢着軸芯Ｐ５，Ｐ、Ｐ，Ｐ４間の寸法を、それぞれの軸芯Ｐ〜Ｐ６を左右の水平方向に向けてほゞ一致させているのである。
【００７３】
かゝる構成の連動機構を備えたスツールにおいて、座部材１の前部側に対する支持脚体１９の枢着支軸４６と揺動アーム５３に対する第２アーム５２の枢着支軸５６とにわたって、引っ張りスプリング５７を掛け渡して、支持脚体１９に畳み方向への付勢力を付与させるさせるようにしている。
【００７４】
この支持脚体１９に対する付勢力の付与は、延いては、座部材１に折り畳み方向への付勢力を付与させることでもあり、更には、この引っ張りスプリング５７は、座部材１を使用姿勢Ｂに切り換える際の回動モーメントを大きくさせる機能をも発揮するものであって、この引っ張りスプリング５７は、座部材１に折り畳み方向への付勢力を付与させるための付勢手段１１と、座部材１を使用姿勢Ｂに切り換える際の回動モーメントを大きくさせる付勢力の付与手段３０とを構成するのであり、更には、各部の枢着部におけるガタツキも防止するのである。
【００７５】
また、このスツールには、座部材１の折り畳み姿勢Ａを弾性的にロックするための第１及び第２のロック手段５９，６０と、更にマグネット式のロック手段６１とが設けられており、これらのロック手段５９〜６１は、折り畳み姿勢Ａにある座部材１の姿勢保持手段３３を構成するものである。
【００７６】
第１のロック手段５９は、上部側のブラケット４４に枢着した支軸４９を弾性的に挟着するように、板ばね部材をコの字状に折り曲げ加工してなるもので、アーム部材６に対する揺動アーム５３の枢着支軸５４の装着部に設けられており、座部材１を折り畳み姿勢Ａに切り換えた際に、支軸４９を弾性的にキャッチするように構成されている。
【００７７】
第２のロック手段６０は、揺動アーム５３に備えた例えば２個の球体６２，６２と、アーム部材６側に備えた球体受け具６３とからなる。そして、球体受け具６３は、上記２個の球体６２，６２の受け孔ｍ，ｍを形成した板ばね部材６４を、これの厚み方向の弾性変形を可能にする状態でブラケット６５に固着してなるもので、この球体受け具６３をアーム部材６に取り付けて、座部材１を折り畳み姿勢Ａに切り換えた際に、２個の球体６２，６２が球体受け孔ｍ，ｍに弾性的に嵌入するように構成されているのである。
【００７８】
マグネット式のロック手段６１は、ブラケット６６に対してガタツキを有せしめるように、このブラケット６６に板状のマグネット６７をルーズに保持させてなり、このロック手段６１を支持脚体１９に備えて、座部材１を折り畳み姿勢Ａに切り換えた際に、マグネット６７がアーム部材６に磁気挟着するように構成している。
【００７９】
上記の構成による連動機構を備えたスツールによれば、アーム部材６に枢着の揺動アーム５３に、それぞれの枢着軸芯Ｐ３，Ｐ５、Ｐ４，Ｐ６、Ｐ５，Ｐ、Ｐ，Ｐ４間の寸法をほゞ同じにして、第１及び第２アーム４８，５２を枢着したことから、座部材１を折り畳み姿勢Ａに切り換えた状態では、揺動アーム５３に対して第１及び第２のアーム４８，５２が互いに重なり合って、アーム部材６側に収納されるようになる。
【００８０】
折り畳み姿勢Ａにある座部材１の使用姿勢Ｂへの切り換えに際しては、座部材１の把手２８に指を差し込んで、図１７に示すように、座部材１を手前に引き出すのであり、この
引き出しの初期において、第１のロック手段５９が支軸４９から弾性的に外れることで、また、第２のロック手段６０の球体６２，６２が弾性的に受け孔ｍ，ｍから外れることで、更には、マグネット式ロック手段６１のマグネット６７がアーム部材６から外れることで、座部材１の引き出し動作が瞬時に軽くなって、その際の感覚が手に伝わることで、座部材１のロックが解除されたことを感覚的に知ることができる。
【００８１】
これに続いての使用姿勢Ｂへの切り換え操作によって、揺動アーム５３が座部材１と同方向に揺動するのであり、この揺動に伴って第２アーム５２が支持脚体１９を外方に押し出す一方、この間に座部材１の揺動を伴うことで、支持脚体１９は、垂直の垂下姿勢を維持したままで、その下端のゴム製の接地部材４７が床面に着地するようになる。
【００８２】
このようにして座部材１が使用姿勢Ｂに切り換えられた状態では、座部材１の後端部がベース２によって枢着保持される一方、座部材１の前部側が常に鉛直な姿勢を保持する脚体によって支持されることから、かゝる構成のスツールによれば、その使用姿勢Ｂが鉛直の荷重に対して強固な構造体によって維持されることになる。
【００８３】
この座部材１の使用姿勢Ｂへの切り換えに伴って、自重を基にしての座部材１の回倒方向のモーメントが順次に大きくなるが、この一方、スプリング５７が緊張方向に引っ張られて、座部材には、これを収納姿勢Ｄ側に戻そうとする付勢力が順次大きくなって付与されることから、支持脚体１９の接地部材４７は、床面にソフトに着地するようになる。
【００８４】
座部材１の前縁側に手を掛けて、使用姿勢Ｂにある座部材１を折り畳み姿勢Ａに切り換えると、上記とは逆の動作で支持脚体１９がアーム部材６側に納まるのであり、この際、最終的には座部材１を縦壁面Ｓ側に押しつけるのであって、これによって、第１のロック手段５９が支軸４９を弾性的にキャッチし、かつ同時的に、第２のロック手段６０の球体６２，６２が弾性的に受け孔ｍ，ｍに嵌合するのであり、更には、マグネット式ロック手段６１のマグネット６７が、弾みをもってアーム部材６に吸着されるのであって、座部材１がガタツキなく、確実にロックされたことを感覚的に知ることができる。
【００８５】
ここで、上記の実施の形態によるスツールでは、枢着支軸４６，５６にわたって引っ張りスプリング５７を掛け渡して、座部材１の使用姿勢Ｂへの切り換えに際して、座部材１をゆっくりと動作させるように構成しているが、これに加えて、またはスプリング５７の装着に代えて、図１８に示すように、アーム部材６の枢着支軸４５に関連させて、一方向性の揺動ダンパー（例えば不二精器株式会社製の型式ＦＹＮ−Ｎ１シリーズの製品）７１を備えることも好適である。
【００８６】
この揺動ダンパー７１は、１１０度程度にわたって回転可能な回転軸７２の一方向への回転終了の直前で強いトルクを発生し、回転軸７２の逆回転時には、非常に小さなトルクを発生するように設計されたものである。
【００８７】
この揺動ダンパー７１を装備するに際しては、揺動ダンパー７１のケース７３側の係止部材７４を係入するブラケット７５をベース２側に固着し、具体的には例えばベース部材４１のブラケット４３に固着し、一方、揺動ダンパー７１の回転軸７２を係入するブラケット７６を座部材１側に固着するのである。
【００８８】
この際、座部材１の使用姿勢Ｂへの最終切り換えの直前で直前で強いトルクが発生するように、揺動ダンパー７１の取り付け方向を設定し、更には、回転軸７２と支軸４５の軸芯が互いに同芯上になるように配置するのであって、これによって、座部材１の使用姿勢Ｂへの切り換え時には、座部材１をゆっくりと動作させ得ながらも、座部材１の折り畳み姿勢Ａへの切り換えに際しては、座部材１を軽い力で楽に折り畳み姿勢Ａに切り換えるこ
とができる。
【００８９】
【発明の効果】
以上説明したように本発明は、座部材の前部側を支持するための支持脚体を、座部材の左右両側のアーム部材に納めるようにして、座部材を折り畳み姿勢に切り換えた状態で、この脚体を座部材の前面部とほゞ面一または凹入させるように構成した点に特徴を有する。
【００９０】
かゝる構成のスツールによれば、従来の脚部材を座板に重ね合わせる構成のスツールに比較して、折り畳み姿勢にあるスツールの厚み寸法を極端に薄くすることができるのであって、例えばスツールをリフォームなどで縦壁面に後付けした際であっても、不使用時におけるスツールの壁面からの出っ張り寸法が小さくなることから、スツールが人の出入り等にとって何ら邪魔にはならず、かつ、見栄えも良くなるのであり、或いは、スツールを所謂ビルトインタイプに構成する場合であっても、これの設置のために、壁面に深い凹部を形成する必要がなくなったのである。
【図面の簡単な説明】
【図１】  縦壁面に備えた折り畳み姿勢にあるスツールの斜視図である。
【図２】  使用姿勢に切り換えた状態にあるスツールの斜視図である。
【図３】  アーム部材に納められた連動機構の透視図である。
【図４】  座部材を使用姿勢に切り換えた状態でのアーム部材の縦断側面図である。
【図５】  座部材を折り畳み姿勢に切り換えた状態でのアーム部材の縦断側面図である。
【図６】  図４におけるＸ−Ｘ線方向の断面図である。
【図７】  図４におけるＹ−Ｙ線方向の断面図である。
【図８】  図４におけるＺ−Ｚ線方向の断面図である。
【図９】  座部材の姿勢切り換えの状況を示す説明図である。
【図１０】  アーム部材に対する支持脚体の取り合いを示す変形例の断面図である。
【図１１】  図１１〜図１７は別の実施の形態によるスツールを示しており、図１１はスツールの折り畳み姿勢を示す斜視図である。
【図１２】  使用姿勢に切り換えた状態にあるスツールの斜視図である。
【図１３】  座部材を折り畳み姿勢に切り換えた状態でのアーム部材の縦断側面図である。
【図１４】  アーム部材に納められた連動機構の透視図である。
【図１５】  座部材を折り畳み姿勢に切り換えた状態での連動機構を示す正面図である。
【図１６】  座部材を使用姿勢に切り換えた状態での連動機構を示す正面図である。
【図１７】  座部材の姿勢切り換えの状況を示す説明図である。
【図１８】  揺動ダンパーを備えた別の実施の形態による要部の斜視図である。
【図１９】  （Ａ）は使用姿勢にある従来例のスツールの斜視図、（Ｂ）は折り畳み姿勢に切り換えた従来例のスツールの斜視図である。
【符号の説明】
１…座部材、２…ベース、６…アーム部材、１１…付勢手段、１６…スライド部材、１９…脚体、２０…第１リンク、２２…第２リンク、２５，２５ａ…移動規制部材、３０，３１…付勢力の付与手段、３３，３３Ａ，３３Ｂ…姿勢保持手段、３４Ａ，３４Ｂ…振動付与手段、４８…第１アーム、５２…第２アーム、５２…揺動アーム、Ａ…折り畳み姿勢、Ｂ…使用姿勢、Ｃ…支持姿勢、Ｄ…収納姿勢、Ｐ〜Ｐ６…軸芯、Ｓ…縦壁面。
【図１】
0003672887.tif 000002
【図２】
0003672887.tif 000003
【図３】
0003672887.tif 000004
【図４】
0003672887.tif 000005
【図５】
0003672887.tif 000006
【図６】
0003672887.tif 000007
【図７】
0003672887.tif 000008
【図８】
0003672887.tif 000009
【図９】
0003672887.tif 000010
【図１０】
0003672887.tif 000011
【図１１】
0003672887.tif 000012
【図１２】
0003672887.tif 000013
【図１３】
0003672887.tif 000014
【図１４】
0003672887.tif 000015
【図１５】
0003672887.tif 000016
【図１６】
0003672887.tif 000017
【図１７】
0003672887.tif 000018
【図１８】
0003672887.tif 000019
【図１９】
0003672887.tif 000020